(57)【特許請求の範囲】
【請求項１】
舗装道路内に埋設される側溝ブロックであって、
当該側溝ブロックは底部と側壁とを備えた筺体とこの筺体内部に形成される排水路とから構成され、
上記側壁には上記排水路と連通する導水口が長さ方向に略等間隔の複数箇所に開口するとともに、導水口の開口部下端から斜め上方に張り出した棚部が側壁の全長にわたって設けられ、
上記棚部より上側の側壁である上部側壁は、斜面状に下側が突出する形状となっており、
この上部側壁に、上記各導水口間の中間位置で最も外方へ突出し各導水口の位置で最も内方へ凹んで、その間が傾斜形状となった複数の凹凸が長さ方向に連続的に形成され、
上記棚部は上記側壁の凹凸の最も突出した部分よりも大きく側壁の外方へ張出している
ことを特徴とする側溝ブロック。
【請求項２】
舗装道路内に埋設される側溝ブロックであって、
当該側溝ブロックは底部と側壁とを備えた筺体とこの筺体内部に形成される排水路とから構成され、
上記側壁には上記排水路と連通する導水口が長さ方向に略等間隔の複数箇所に開口するとともに、導水口の開口部下端から斜め上方に張り出した棚部が側壁の全長にわたって設けられ、
上記棚部の上面に、上記各導水口間の中間位置で最も上方へ突出し各導水口の位置で最も下方へ凹んで、その間が傾斜形状となった複数の凹凸が長さ方向に連続的に形成されている
ことを特徴とする側溝ブロック。
【請求項３】
不透水性の下地層表面に透水性を有する表層が施工された透水性舗装道路内に、請求項１又は２に記載の側溝ブロックが埋設された排水構造であって、
上記棚部の先端が、上記下地層表面よりも下部の位置に下地層に対して張り出すように構成されている
ことを特徴とする排水構造。
【発明の詳細な説明】
【０００１】
【発明の属する技術分野】
本発明は、排水性舗装が行われた道路等の側部に配置される側溝ブロック及びそのブロックを用いた排水構造に関するものである。
【０００２】
【従来の技術】
従来、一般道路や高速道路、公園、市街地道路などの舗装道路では、降雨等により雨水が路面上に貯蓄する現象を防ぐため、特許公報第２７７５３９２号に示されるような排水構造が開示されている。
【０００３】
図５（特許公報第２７７５３９２号の〔図９〕に相当）に示すように、この排水構造は、舗装道路６と、舗装道路６の側面に埋設された側溝１とを備えている。舗装道路６は、透水性を有する表層６１と、当該表層６１の下層に積層された不透水性の下地層６２とが備えられ、舗装道路６上に降雨した雨水は、表層６１を経て下地層６２の上面に貯蓄される。
【０００４】
そして側溝１は、底部と側壁２２とを備えた筺体２と、この筺体２内部に設けられた円形の排水路３とから構成されており、排水路３には、排水溝と連通する導水口５が設けられている。この導水口５は、表層６１と下地層６２との境界部分よりも若干下部に位置する付近に開口するように設けられ、下地層６２の上面に貯蓄された雨水を排水路３に導入するような構造になっている。
【０００５】
【発明が解決しようとする課題】
しかしながら、従来の構造では、側溝１の側壁２２と下地層６２との間に施工時の定着不良等による隙間が生じている場合、下地層６２の上面に貯蓄された雨水が導水口５に流れこむとき、上記隙間に雨水が侵入し、舗装用基礎となる舗装路盤８を経て地盤となる路床７へと浸透する。このため、長期間の使用により路床７がゆるみ、舗装道路６の表面が陥没する等の不具合を生ずる可能性がある。
【０００６】
そこで本発明は、地盤へ雨水が浸透することを防止して、耐久性を向上させた側溝ブロック及び排水構造を提供するものである。
【０００７】
【課題を解決するための手段】
請求項１に係る発明は、舗装道路内に埋設される側溝ブロックであって、当該側溝ブロックは底部と側壁とを備えた筺体とこの筺体内部に形成される排水路とから構成され、上記側壁には上記排水路と連通する導水口が長さ方向に略等間隔の複数箇所に開口するとともに、導水口の開口部下端から斜め上方に張り出した棚部が側壁の全長にわたって設けられ、上記棚部より上側の側壁である上部側壁は、斜面状に下側が突出する形状となっており、この上部側壁に、上記各導水口間の中間位置で最も外方へ突出し各導水口の位置で最も内方へ凹んで、その間が傾斜形状となった複数の凹凸が長さ方向に連続的に形成され、上記棚部は上記側壁の凹凸の最も突出した部分よりも大きく側壁の外方へ張出していることを特徴としたものである。
【０００８】
また、請求項２に係る発明は、舗装道路内に埋設される側溝ブロックであって、当該側溝ブロックは底部と側壁とを備えた筺体とこの筺体内部に形成される排水路とから構成され、上記側壁には上記排水路と連通する導水口が長さ方向に略等間隔の複数箇所に開口するとともに、導水口の開口部下端から斜め上方に張り出した棚部が側壁の全長にわたって設けられ、上記棚部の上面に、上記各導水口間の中間位置で最も上方へ突出し各導水口の位置で最も下方へ凹んで、その間が傾斜形状となった複数の凹凸が長さ方向に連続的に形成されていることを特徴とするものである。
【０００９】
請求項１又は請求項２の側溝ブロックを用いた排水構造としては、不透水性の下地層表面に透水性を有する表層が施工された透水性舗装道路内に上記側溝ブロックが埋設された排水構造であって、上記棚部の先端が、上記下地層表面よりも下部の位置に下地層に対して張り出すように構成されるようにすることが可能である。
【００１０】
この場合、上記棚部の先端が上記下地層表面よりも下部の位置に下地層に対して張り出すように構成されているため、雨水が、下地層から導水口に流入されるとき、棚部上面を経ることになる。さらに、上記棚部は導水口の下端から斜め上方に張り出しているため、棚部に滞留した雨水は、その傾斜に沿って上記棚部の基端を経て導水口に導入されることになり、傾斜を登って棚部と下地層との境界面に雨水が侵入することはほとんどない。したがって、雨水が棚部の先端を越えて地盤へ浸透することを防止し、長期間の使用によって地盤がゆるむなどの不具合を軽減することができる。
【００１１】
また、請求項１の発明のように、上記棚部より上側の側壁である上部側壁が斜面状に下側が突出する形状となっていて、この上部側壁に複数の凹凸が長さ方向に連続的に形成され、あるいは、請求項２のように棚部に複数の凹凸が長さ方向に連続的に形成されていることにより、上記棚部の基端へ移動した雨水は、上記凹凸が形成された面を伝って導水口に導入されることになるため、雨水が棚部の基端部に滞留することがなく、より確実に導水口に雨水を導入することが可能となる。
【００１２】
【発明の実施の形態】
本発明の実施形態について、図１〜図４を用いて説明する。ただし、本発明は以下の実施形態に限定されることはない。
【００１３】
第一実施形態（図１〜図２参照）
図１はこの発明の第一実施形態に係る側溝ブロック１０１を示す外観図である。図示するように、この発明に係る側溝ブロック１０１は底部１１１と２つの側壁１２１、１３１とを備えた側溝ブロックの筺体１０２と、この筺体１０２内部に設けられた円形の排水路１０３とから構成されている。また筺体１０２上方には開口部１０５が設けられて、グレーチングで覆蓋されるよう構成されている。
【００１４】
２つの側壁１２１、１３１のうちの一つである側壁１３１は、導水口１３３が開口するとともに、棚部１３５と、上部側壁１３７を備えている。
【００１５】
導水口１３３は、長さ方向に対して略等間隔に複数箇所設けられ、その開口部の形状は上下方向に長い長方形に形成されている。また、図２（ａ）に示すように、排水路１０３に向かって斜め下方の方向に延びて、上記排水路１０３と連通している。
【００１６】
再び図１に戻って説明を続けると、棚部１３５は、側壁１３１の下端から傾斜面状に突起しており、その上面は導水口１３３の下端から斜め上方に張り出した形状で、側壁１３１の全長にわたって形成されている。
【００１７】
上部側壁１３７は、棚部１３５の基端より上部の側壁に設置され、斜面状に下側が突出する形状となっている。この上部側壁に、上記各導水口間の中間位置で最も外方へ突出し各導水口の位置で最も内方へ凹んで、その間が傾斜形状となった複数の凹凸１３９が長さ方向に連続的に形成されている。また、上記棚部１３７は上記凹凸１３９の最も突出した部分よりも大きく側壁の外方へ張出している。
【００１８】
次に、上記の側溝ブロック１０１を用いた構造について図２（ａ）及び図２（ｂ）を用いて説明する。
【００１９】
図２（ａ）では、側溝ブロック１０１は、舗装道路１５０内に埋設されている。
【００２０】
舗装道路１５０は、地盤となる路床１７１の上に構成された舗装路盤１６１の上に設けられている。そして、透水性を有する表層１５１と、不透水性の下地層１５２とが備えられ、下地層１５２の表面に表層１５１が積層され、表層１５１の上面が舗装道路１５０の最上面となっている。
【００２１】
側溝ブロック１０１は、路床１７１の上に設けられた基礎コンクリート１８１の上に配設されている。そして、棚部１３５の先端部は、図２（ｂ）に示すとおり、下地層１５２の表面よりも下部の位置に下地層１５２に対して張り出すように構成されている。つまり、下地層１５２が、棚部１３５の上に覆い被さっている。そして、下地層１５２の表面の高さは、導水口１３３の上端よりも低くなっている。
【００２２】
このような構成を採ると、舗装道路１５０上に降った雨水は、表層１５１を透過して下地層１５２の上面を流れて導水口１３３へと流入する。また、隙間が生じている場合、雨水の一部は上記隙間を通って棚部１３５上へ流れ、さらに、棚部１３５の斜面を伝ってその基端に流れこんだ雨水は、凹凸１３９の斜面を伝って導水口１３３に導かれ、排水路１０３へと流れ込む。
【００２３】
したがって、棚部１３５と下地層１５２との境界面に雨水が侵入する可能性を低減することが出来、さらには、仮に雨水が浸入したとしても、棚部１３５の斜面を登ってその先端を越えることは略不可能なため、雨水が舗装路盤１６１を経て路床１７１へ浸透することを略確実に防止し、長期間の使用によって地盤である路床１７１がゆるむなどの不具合を軽減することができる。
【００２４】
また、棚部１３５の基端へ移動した雨水は、凹凸１３９を伝って導水口１３３に導入されることになるため、例えば、導水口１３３が側壁１３１の長さ方向について全域に設けられていないときにおいても、雨水が棚部１３５の基端に滞留することがなく、より確実に導水口１３３に雨水を導入することが可能となる。
【００２５】
第二実施形態（図３（ａ）〜（ｂ）参照）
以下の実施形態において、第一実施形態と同一部分には同一符号を付して示し、その重複説明を省略する。
【００２６】
本実施形態は、第一実施形態に設けられた凹凸１３９を、上部側壁１３７に設ける代わりに、棚部１３５の上面に設けたものである。すなわち、上記棚部１３５の上面に、上記各導水口１３３間の中間位置で最も上方へ突出し各導水口１３３の位置で最も下方へ凹んで、その間が傾斜形状となった複数の凹凸１３９が長さ方向に連続的に形成されている。図３（ａ）は本実施形態の全体の外観図であり、図３（ｂ）は、図３（ａ）について主に棚部１３５の上面周辺を拡大したものである。
【００２７】
この場合についても、棚部１３５の上面に流れこんだ雨水は、凹凸１３９を図３（ｂ）の矢印の方向に伝って、導水口１３３に流れ込むため、雨水が棚部１３５の基端に滞留することがなく、第一実施形態と同様の効果を得ることが可能である。
【００２８】
第三実施形態（図４（ａ）〜（ｂ）参照）
本実施形態は、第一実施形態及び第二実施形態に記載の棚部１３５を二段にしたものである。本実施形態の棚部１３５は、基礎棚部１３５ａと補助棚部１３５ｂとを備え、基礎棚部１３５ａは上記第一実施形態及び第二実施形態に記載の棚部と同様に、側壁１３１の下端から傾斜面状に突起しており、その上面は導水口１３３の下端から斜め上方に張り出した形状で、側壁１３１の全面に形成されている。そして、補助棚部１３５ｂは、上部側壁１３７から斜め上方に張り出した形状で上部側壁１３７の全面に形成されている。
【００２９】
なお、本図においては凹凸１３９が設けられていないが、上記実施形態と同様に凹凸１３９を設けることも可能である。
【００３０】
この側溝ブロック１０１を、舗装道路１５０に設けるときは、図４（ｂ）のように、少なくとも基礎棚部１３５ａが、下地層１５２の表面よりも下部の位置に下地層１５２に対して張り出すように構成されている。この場合、下地層１５２の表面より上部を流れる雨水は二段の棚部１３５ａ、１３５ｂで導水口１３３に導かれるため、より多くの雨水を導水口１３３に導くことが出来るため、基礎棚部１３５ａの先端から路床１７１に対して雨水が浸透する可能性をより低減することができる。
【００３１】
なお、補助棚部１３５ｂについても、下地層１５２の表面よりも下部の位置に、下地層１５２に対して張り出すように構成することが可能である。
【００３２】
この場合、万が一、雨水が補助棚部１３５ｂの斜面を登って、その先端を超えたとしても、基礎棚部１３５ａの先端を乗り越えることは略絶望的であるため、より確実に雨水が路床１７１へ浸透することを防止することができる。
【００３３】
なお、補助棚部１３５ｂを設ける数については、一個に限定されることはなく、状況に応じて任意の数を設けること、すなわち複数段を形成することが可能である。この場合、少なくとも基礎棚部１３５ａが、下地層１５２の表面よりも下部の位置に下地層１５２に対して張り出すように構成されていればよい。
【００３４】
その他実施形態
（１）  この導水口１３３の開口径は特に限定はされず、施工場所、側溝ブロック１０１の大きさ等を考慮し、適宜な大きさを採用すればよい。また、導水口１３３の形状としては、少なくとも導水口１３３の開口部から排水路１０３に向かって斜め下方の方向に延びていれば特に任意の形態にすることが可能である。例えば導水口１３３の開口部分から排水路１０３へとテーパ状に形成したり、すべて同じ形状で貫通するように形成したりしてもよい。また、開口部等の断面形状は長方形に限定されず、三角形、正方形、円形等の任意の形状を用いることが出来る。
【００３５】
（２）  上部側壁１３７は、必ずしも斜面状に下側が突出する形状となっている必要はない。例えば、垂直上に形成して下側が突出しない形状とすることも可能である。ただし、斜面状に下側が突出する形状のほうが、成型加工を行いやすいため好ましい。
【００３６】
（３）導水口１３３の開口部を、ステンレス、アルミ等の金属や、ナイロン繊維等の合成樹脂等の素材を網目状（メッシュ状）に形成した透水性のキャップで被覆してもよい。この場合、ごみ等が導水口１３３に侵入して、導水口１３３が詰まることを防止することが出来る。また、上記のキャップで被覆する代わりに、透水性モルタル等のような粗骨材を樹脂で固めた素材を、導水口１３３に充填しても、上記と同様の効果を得ることが可能である。
【００３７】
【発明の効果】
以上のように本発明は、側溝ブロックの棚部が導水口の下端から斜め上方に張り出しているため、棚部に滞留した雨水は、その傾斜に沿って上記棚部の基端を経て導水口に導入されることとなる。したがって、雨水が地盤へ浸透することを防止し、長期間の使用によって地盤がゆるむなどの不具合を軽減することができる。
【００３８】
また、上記凹凸が形成された面を伝って導水口に導入されることになるため、例えば、上記導水口が上記側壁の長さ方向について全域に設けられていないときにおいても、雨水が棚部の基端部に滞留することがなく、より確実に導水口に雨水を導入することが可能となる。
【図面の簡単な説明】
【図１】第一実施形態にかかる側溝ブロックの斜視図である。
【図２】（ａ）は第一実施形態にかかる側溝ブロックを用いた排水構造の断面図であり、（ｂ）は（ａ）の導水口付近の拡大図である。
【図３】（ａ）は第二実施形態にかかる側溝ブロックの斜視図であり、（ｂ）は（ａ）の導水口付近の拡大図である。
【図４】（ａ）は第三実施形態にかかる側溝ブロックの斜視図であり、（ｂ）は（ａ）の側溝ブロックを用いた排水構造についての導水口付近の拡大図である。
【図５】従来の排水構造を示した図である。
【符号の説明】
１０１ 側溝ブロック
１０２ 筺体
１０３ 排水路
１３１ 側壁
１３３ 導水口
１３５ 棚部
１３７ 上部側壁
１３９ 凹部
１５０ 舗装道路
１５１ 表層
１５２ 下地層
【図１】
0003626740.tif 000002
【図２】
0003626740.tif 000003
【図３】
0003626740.tif 000004
【図４】
0003626740.tif 000005
【図５】
0003626740.tif 000006